(57)【要約】【課題】自動同期投入装置と手動同期投入装置を一体化した同期投入装置において、自動同期投入時、電圧差、周波数差を手動で短時間のうちに許容値内とすることができるようにすると共に、手動同期投入する際にチェックシンクロ機能が働かなくなるようなことを防ぐ。【解決手段】母線と発電機の電圧差と周波数差を検出する検出手段と、操作パネル上の電圧と周波数の調整指示手段からの指示で前記電圧差と周波数差を許容値内とするための信号を発する調整手段を設け、自動投入時にも手動で電圧差と周波数差を調整できるようにすると共に、手動同期投入ボタンは、電圧差と周波数差、及び位相差が同期投入可能範囲にならないと信号を出力できないようにしたことを特徴とする。【選択図】      図１
2005012938.tif 000002
【特許請求の範囲】
【請求項１】
商用電源または他の発電機からの電力が供給されている母線に遮断器を介して発電機の電力を自動同期投入または手動同期投入するための同期投入装置であって、
前記母線と発電機の電圧差と周波数差を検出する検出手段と、該検出手段及び操作パネル上の電圧と周波数の調整指示手段からの指示で前記電圧差と周波数差を許容値内とするための信号を発する調整手段と、前記母線と発電機の位相が所定範囲で一致したことを検出する位相同期点確認手段と、自動同期投入選択時、前記検出手段が前記調整手段に指示した母線と発電機の電圧差と周波数差を許容値内とする信号によって電圧差と周波数差が許容値内になった信号と、前記位相同期点確認手段からの位相が所定範囲で一致した信号によって前記遮断器投入信号を出力する手段と、前記操作パネル上に設けられて常時は信号出力を不可とされ、手動同期投入選択時、前記操作パネル上の電圧と周波数の調整指示手段から指示した母線と発電機の電圧差と周波数差を変化させる信号により、前記検出手段が電圧差と周波数差が許容値内になったことを検出した信号と、前記位相同期点確認手段からの位相が所定範囲で一致した信号が来たとき、前記遮断器投入信号出力を可能とする遮断器手動投入指示手段とからなることを特徴とする発電機における同期投入装置。
【請求項２】
前記手動同期投入選択時、前記検出手段から調整手段への信号をロックする手段を有することを特徴とする請求項１に記載した発電機における同期投入装置。
【請求項３】
前記遮断器手動投入指示手段を前記操作パネル上で表示／非表示を切替え可能とし、前記検出手段が電圧差と周波数差が許容値内になったことを検出した信号と、前記位相同期点確認手段からの位相が所定範囲で一致した信号が来たとき、操作パネル上に表示すると共に前記遮断機投入信号出力を可能としたことを特徴とする請求項１に記載した発電機における同期投入装置。
【請求項４】
前記操作パネルを、各指示手段を表示する表示装置とタッチパネルで構成したことを特徴とする請求項１に記載した発電機における同期投入装置。
【請求項５】
前記同期投入装置に通信手段を設け、複数の発電機に対応させた設けた各同期投入装置を前記通信手段で接続し、複数の発電機を母線に同期投入させる際、前記通信手段を用いて投入制御することを特徴とする請求項１に記載した発電機における同期投入装置。
【発明の詳細な説明】
【０００１】
【発明の属する技術分野】
本発明は、ディーゼル発電機やマイクロガスタービン発電機などの発電機を、商用電源や既に動いている発電機と同期させて投入するための同期投入装置に関し、特に、自動同期投入と手動同期投入を一台で行えるようにした発電機における同期投入装置に関するものである。
【０００２】
【従来の技術】
商用電源、または他の発電機からの電力が供給されている母線に発電機電力を追加する場合、母線と新たに追加する発電機との間の電圧差、周波数差を許容値以内とし、位相が所定範囲で一致している必要がある。そのため、こういったことを自動的に行えるようにした自動同期投入装置や手動同期投入装置が種々提案され、また、自動同期投入には時間がかる場合があるため、手動で短時間のうちに同期投入が行えるよう、自動同期投入装置と手動同期投入装置とを一体とした同期投入装置も提案されている。
【０００３】
しかしながら、従来の手動同期投入装置は、母線と新たに投入する発電機の電圧や周波数を電圧計や周波数計で確認し、同期検定器で位相の一致状態を見ながら最適な投入時期を選ぶという方法で投入していたため、投入に熟練を要し、最悪の場合発電機を損傷させるなどの問題があり、これは自動同期投入装置と手動同期投入装置を一体とした同期投入装置においても同じであった。そのため特許文献１には、電圧差、周波数差を一定値以内となるよう自動制御し、位相差が最適値になったときに母線と発電機を遮断していた遮断器を投入させる自動同期投入回路を有し、さらに母線と発電機における電圧差と周波数差をみながら、これが一定値以内になるよう手動制御すると共に位相が所定範囲で一致したことを確認して手動同期投入スイッチにより手動同期投入できるようにした、自動同期投入装置と手動同期投入装置を一体とした同期投入装置において、前記手動同期投入スイッチに直列に同期投入可能リレー接点を設け、前記自動同期投入回路における電圧差、周波数差、位相差の監視回路を利用して同期投入可能な電圧差、周波数差、位相差となったことを検出したとき、前記同期投入可能リレー接点を接とするチェックシンクロ機能を持たせ、それによって適切な電圧差、周波数差、位相差の時のみ手動同期投入できるようにした同期投入装置が示されている。またこの特許文献１の装置では、自動同期投入装置が故障して同期投入可能リレー接点が閉とならないときのため、同期投入可能リレー接点に並列にスイッチを設けてこのスイッチを閉とすることで、いつでも手動同期投入が行えるようにすることも示されている。
【０００４】
【特許文献１】
特開平５−３４４６５６号公報（図１）
【０００５】
【発明が解決しようとする課題】
しかしながらこの特許文献１に示された同期投入装置は、自動同期投入装置と手動同期投入装置との関係がチェックシンクロ部分のみであるため、例えば自動同期投入時に、電圧差、周波数差を手動で短時間のうちに許容値内とするようなことができない。また、自動同期投入回路が故障して同期投入可能リレー接点が閉とならないときのため、同期投入可能リレー接点に並列にスイッチを設けているが、このスイッチが誤って閉になったままとなると、手動同期投入する際、チェックシンクロ機能が働かず、誤投入によって最悪の場合発電機を損傷させるなどの問題を生じることがある。
【０００６】
そのため本発明においては、自動同期投入機能と手動同期投入機能を一体化した同期投入装置において、自動同期投入時においても手動で電圧差、周波数差を短時間で許容値内とすることができ、かつ、手動同期投入に際しては、電圧差、周波数差、位相差が同期投入可能となった時のみスイッチ操作ができるようにした、発電機における同期投入装置を提供することが課題である。
【０００７】
【課題を解決するための手段】
そのため本発明においては、
商用電源または他の発電機からの電力が供給されている母線に遮断器を介して発電機の電力を自動同期投入または手動同期投入するための同期投入装置であって、
前記母線と発電機の電圧差と周波数差を検出する検出手段と、該検出手段及び操作パネル上の電圧と周波数の調整指示手段からの指示で前記電圧差と周波数差を許容値内とするための信号を発する調整手段と、前記母線と発電機の位相が所定範囲で一致したことを検出する位相同期点確認手段と、自動同期投入選択時、前記検出手段が前記調整手段に指示した母線と発電機の電圧差と周波数差を許容値内とする信号によって電圧差と周波数差が許容値内になった信号と、前記位相同期点確認手段からの位相が所定範囲で一致した信号によって前記遮断器投入信号を出力する手段と、前記操作パネル上に設けられて常時は信号出力を不可とされ、手動同期投入選択時、前記操作パネル上の電圧と周波数の調整指示手段から指示した母線と発電機の電圧差と周波数差を変化させる信号により、前記検出手段が電圧差と周波数差が許容値内になったことを検出した信号と、前記位相同期点確認手段からの位相が所定範囲で一致した信号が来たとき、前記遮断器投入信号出力を可能とする遮断器手動投入指示手段とからなることを特徴とする。
【０００８】
このように同期投入装置を構成することにより、電圧差と周波数差を許容値内とするための信号を発する調整手段は、自動同期投入する時でも手動による電圧差と周波数差の調整信号を変更できるから、短時間でこれら電圧差と周波数差を許容値内とすることができる。また手動動投入時には、手動による遮断器投入手段が、電圧差と周波数差が許容値内になり、位相が所定範囲で一致しないと遮断器投入信号を出力できないから、誤って手動同期投入するということが無く、そのため、発電機を損傷させるなどの事故を防ぐことができる。
【０００９】
そして手動同期投入選択時は、前記検出手段から調整手段への信号をロックすることで、例えば電圧差の調整を行わずに周波数差だけ許容範囲に入って位相が同期したときに投入するなどのことが可能となり、より素早く同期投入を行うことができる。
【００１０】
また、前記遮断器手動投入指示手段を前記操作パネル上で表示／非表示を切替え可能とし、前記検出手段が電圧差と周波数差が許容値内になったことを検出した信号と、前記位相同期点確認手段からの位相が所定範囲で一致した信号が来たとき、操作パネル上に表示すると共に前記遮断機投入信号出力を可能とすることにより、オペレータは手動同期投入においてもメータなどを見ながら判断する必要が全く無くなり、安全に手動同期投入を行えるようになる。
【００１１】
そして前記操作パネルを、各指示手段を表示する表示装置とタッチパネルで構成することにより、各種指示や操作用ボタンなどの手段を任意に表示／非表示することが可能となり、オペレータによりわかりやすい装置とすることができる。
【００１２】
さらに、前記同期投入装置に通信手段を設け、複数の発電機に対応させた設けた各同期投入装置を前記通信手段で接続し、複数の発電機を母線に同期投入させる際、前記通信手段を用いて投入制御することにより、多数の発電機を母線に同期投入させるような場合でも、互いの投入データをチェックしながら同期投入でき、より安全に同期投入を行うことができる。
【００１３】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１４】
図１は本発明の発電機における同期投入装置の概略ブロック図、図２は自動同期投入のフロー図、図３は本発明発電機における同期投入装置を複数用いて同期投入するときの概略ブロック図である。図中、１は本発明の同期投入装置、２は商用電源、または他の発電機からの電力が供給されている母線からの入力端子、３はこれから投入する発電機（本機）からの電力の入力端子で、これら入力端子２、３への入力は、必要に応じて変圧器などが接続され、また、母線からの入力と発電機からの入力が逆であっても良い。また発電機は、図示していない遮断器を介して母線に接続されている。４、５は入力端子２、３への電圧をアナログ／デジタル変換するアナログ／デジタル（Ａ／Ｄ）変換器、６は母線と発電機の電圧を比較して電圧差を出力する電圧比較回路、７は同じく周波数を比較して周波数差を出力する周波数比較回路である。
【００１５】
８は液晶やプラズマなどを用いた表示装置とその上に重ねたタッチパネルなどで構成した同期投入装置の操作パネルで、この操作パネルには、自動同期投入を選択する自動同期投入ボタン９、手動同期投入を選択する手動同期投入ボタン１０、発電機の電圧を上昇させる電圧上昇指示ボタン１１、電圧降下指示ボタン１２、周波数上昇指示ボタン１３、周波数降下指示ボタン１４、遮断器手動投入ボタン１５などが設けられている。このうち遮断器手動投入ボタン１５は、常時は表示されないと共にタッチしても信号を出力せず、手動同期投入ボタン１０が押圧されてノット回路３４を介して送られた信号と、電圧と周波数の調整ボタン１１〜１４の操作で調整された発電機の電圧と周波数の母線との電圧差、周波数差が許容値内になり、さらに位相が所定範囲で一致した信号がアンド回路３１に送られたとき、遮断器手動投入ボタン表示回路３２によって表示させると共に、表示されたときのみこのボタンの押圧によって遮断器の投入信号が発せられるよう構成されている。また、自動同期投入ボタン９、手動同期投入ボタン１０は、自動同期投入ボタン９が押圧されたときは切替え回路３３によってＯＮ（１出力）信号が出力され、手動同期投入ボタン１０が押圧されたときは、ＯＦＦ（０出力）信号が出力されるようになっている。なおこの操作パネルは、液晶やプラズマなどやタッチパネルを用いたものだけでなく、通常のスイッチ類を用いて構成しても良いことは自明であり、この場合は、遮断器手動投入ボタン１５は表示されたままとなるが、同期投入可能になるまでボタンの操作による出力ができないようにしておけばよい。
【００１６】
１６、１７は手動同期投入ボタン１０が押圧されたとき、電圧比較回路６と周波数比較回路７の出力をロックするインターロック回路、１８は電圧比較回路６からの電圧差信号、及び手動による電圧上昇及び降下ボタン１１、１２からの電圧調整信号によって、発電機の電圧を強制的に補正する信号を発生する電圧強制補正信号発生回路で、この電圧強制補正信号発生回路１８には、電圧強制補正信号を発して一定時間経過したとき、発電機が指定した電圧に達しない場合は異常を知らせるための見張りタイマーを組み込んでもよい。１９は同じく周波数比較回路７からの周波数差信号、及び手動による周波数上昇及び降下ボタン１３、１４からの周波数調整信号によって、発電機の周波数を強制的に補正する信号を発生する周波数強制補正信号発生回路で、この周波数強制補正信号発生回路１９にも、電圧強制補正信号発生回路１８と同様周波数強制補正信号を発して一定時間経過したとき、発電機が指定した周波数に達しない場合は異常を知らせるための見張りタイマーを組み込んでもよい。２０、２１は電圧強制補正信号発生回路１８から出力される電圧上昇信号と降下信号で、この信号によって発電機の励磁電流などを調整し、出力電圧を調整する。２２、２３は周波数強制補正信号発生回路１９から出力される周波数の上昇信号と降下信号で、この信号によって発電機を駆動するエンジンのガバナなどを調整し、回転数を調整して発電機の出力周波数を調整する。
【００１７】
２４は母線と発電機の位相差を検出し、その位相が所定範囲で一致したときに位相同期信号を発する位相／同期点確認回路、２５は同期投入装置１の電源を入れた直後の誤動作や逆電力を防止するためにアンド回路２６をロックするための誤動作防止ロック回路、２７は遮断器投入信号２８が出力され、一定時間経過しても遮断器が投入されたという信号が戻ってこない場合にミスクロス（遮断器が投入されない）信号を出力する見張りタイマーとカウンター、２９は電圧比較回路６が検出した母線電圧と発電機電圧を表示する電圧表示装置、３０は同じく周波数比較回路７が検出した母線周波数と発電機周波数を表示する周波数表示装置で、この電圧表示装置２９と周波数表示装置３０は、メータ形式でも、デジタル表示形式でもどちらでも良い。図３において、５０は商電母線、５１、５２はＰＴ（変圧器）、５３は発電機母線、５４は各同期投入装置１０、１１、１２、１３、……に設けた通信手段を結ぶケーブル、５５は遮断器、Ｇ１、Ｇ２、Ｇ３、……は発電機である。
【００１８】
次にこの同期投入装置１の動作について説明すると、この同期投入装置１の電源が入れられると、まず初期誤動作を避けるため、誤動作防止回路２５が一定時間アンド回路２６をロックし、誤動作の心配が無くなるとそのロックを解く。そして、発電機の電力を自動制御で母線に同期投入する場合、図２のフローで示した手順で同期投入を行う。すなわちまずステップＳ１０で、操作パネル８上の自動同期投入ボタン９を押すと、ステップＳ１１で入力端子２と３に送られてくる母線の電圧、及び母線に投入する発電機（本機）の電圧が電圧比較回路６で比較され、電圧表示装置２９で表示されると共に、ステップＳ１２で電圧差が許容範囲内かどうかが判断される。そして許容範囲内でない場合、ステップＳ１３に進んでこの電圧差がインターロック回路１６を通して電圧強制補正信号発生回路１８に送られる。そのため電圧強制補正信号発生回路１８は、送られてきた電圧差が許容範囲内に入るよう電圧上昇信号２０または電圧降下信号２１を、発電機の図示していない電源回路に送って発電機の励磁電流を増減させ、出力電圧を調整する。
【００１９】
このようにして電圧差が調整され、ステップＳ１２で許容範囲内と判断されると次のステップＳ１４に移り、今度は母線の周波数と母線に投入する発電機（本機）の周波数が周波数比較回路７で比較され、周波数表示装置３０に表示されると共に、ステップＳ１５で周波数差が許容範囲内かどうかが判断される。そして許容範囲内でない場合、ステップＳ１６に進んでこの周波数差がインターロック回路１７を通して周波数強制補正信号発生回路１９に送られる。そのため周波数強制補正信号発生回路１９は、送られてきた周波数差が許容範囲内に入るよう周波数上昇信号２２、または降下信号２３を図示していない発電機を駆動するエンジンのガバナに送って速度を調整し、周波数を調整する。
【００２０】
このようにして周波数差が調整され、ステップＳ１５で許容範囲内と判断されると、これら電圧比較回路６、周波数比較回路７から信号がアンド回路２６に送られる。そして次にステップＳ１７で位相／同期点確認回路２４は、母線と発電機の位相を監視し、両者の位相が同期投入に必要な許容範囲内かどうかを判断する。そして許容範囲内でない場合はステップＳ１１に戻って同様な操作を繰り返し、許容範囲である場合は信号がアンド回路２６に送られる。そのためこのアンド回路２６には、誤動作防止ロック回路２５からのロック解除信号、操作パネル上の自動同期投入ボタン９からの信号、電圧比較回路６、周波数比較回路７からの信号、そして位相／同期点確認回路２４からの信号が送られてくるから、このゲートがステップＳ１８で開き、見張りタイマーとカウンター回路２７を通して発電機の遮断器投入信号２８が図示していない遮断器に送られる。そして次のステップＳ１９で、見張りタイマーとカウンター回路２７が更新され、次のステップＳ２０で一定時間が経ったか否かが判断される。そして経っていない場合は次のステップＳ２１で遮断器投入完了信号が来たかどうかが判断され、完了信号が来ている場合は自動同期投入が完了としてステップＳ２３に進み、完了信号が来ていない場合はステップＳ１９に戻る。そしてこの場合、ステップＳ２０で一定時間経っても完了信号が来ない場合は、ステップＳ２２に進んで同期投入が異常である（ミスクロス）という表示をして終了する。
【００２１】
一方、手動で同期投入する場合は、操作パネル８上の手動同期投入ボタン１０を押すと、切替え回路３３によってＯＦＦ（０出力）信号が出力され、それがインターロック回路１６、１７、アンド回路２６に送られ、電圧比較回路６、周波数比較回路７で検出された、母線と母線に投入する発電機との電圧差と周波数差が電圧強制補正信号発生回路１８、周波数強制補正信号発生回路１９へ送られないようロックすると共に、アンド回路２６がロックされ、さらにノット回路３４を通してアンド回路３１にＯＮ（１信号）信号が送られる。そして前記したように、電圧比較回路６で検出された母線電圧と発電機電圧が電圧表示装置２９に、周波数比較回路７で検出された母線の周波数と発電機の周波数が周波数表示装置３０に表示されるから、オペレータはそれを見ながら操作パネル上の電圧上昇指示ボタン１１、電圧降下指示ボタン１２、周波数上昇指示ボタン１３、周波数降下指示ボタン１４により、電圧差と周波数差が許容値内となるよう操作する。するとそれぞれのボタンから出た信号は、電圧強制補正信号発生回路１８、周波数強制補正信号発生回路１９に送られ、これら電圧強制補正信号発生回路１８と周波数強制補正信号発生回路１９は、送られてきた指示に従って電圧上昇信号２０または電圧降下信号２１を、発電機の図示していない電源回路に送って発電機の励磁電流を増減させて出力電圧を調整し、また、周波数上昇信号２２または降下信号２３を、発電機を駆動するエンジンのガバナに送って速度を調整し、周波数を調整する。
【００２２】
そして電圧差と周波数差を電圧比較回路６、周波数比較回路７で監視し、これら電圧差と周波数差が同期投入に必要な許容範囲となると、これら電圧比較回路６、周波数比較回路７から信号がアンド回路３１に送られる。一方、位相／同期点確認回路２４は、この間、母線と発電機の位相を監視し、両者の位相が同期投入に必要な許容範囲に入るとこれも信号をアンド回路３１に送る。そのためこのアンド回路３１は、手動同期投入ボタン１０の押圧によるノット回路３４を介しての１信号、電圧比較回路６、周波数比較回路７からの信号、位相／同期点確認回路２４からの信号が送られてきたから開き、遮断器手動投入ボタン表示制御回路３によって操作パネル８上の遮断器手動投入ボタン１５が表示され、同時にこの遮断器手動投入ボタン１５が押圧されたときに信号が出力できるようにされる。そのためオペレータがこの遮断器手動投入ボタン１５を押圧すると、見張りタイマーとカウンター回路２７を通して遮断器投入信号２８が送り出され、図示していない遮断器が閉じられて発電機の電力が母線に投入される。そしてこの時、見張りタイマーとカウンター回路２７が遮断器投入信号を送ってからの時間を計測し、一定時間以内に遮断器が投入されない場合は、同期投入が異常である（ミスクロス）という表示をして終了する。
【００２３】
以上が本発明になる発電機における同期投入装置の動作概略であるが、以上の説明では、自動同期投入の時は全くオペレータを介さずに自動投入する場合について説明したが、本発明の同期投入装置では、自動同期投入の場合でも、電圧上昇指示ボタン１１、電圧降下指示ボタン１２、周波数上昇指示ボタン１３、周波数降下指示ボタン１４を手動で操作して電圧強制補正信号発生回路１８、周波数強制補正信号発生回路１９に送ることで、これら手動で指示した電圧と周波数が電圧比較回路６、周波数比較回路７から送られてくる電圧差と周波数差の信号に加味されるから、短時間で自動同期投入したい場合は、電圧表示装置２９と周波数表示装置３０の表示を見ながら手動で電圧と周波数の調整を加速することが可能である。
【００２４】
また以上の説明では、本発明になる同期投入装置一台を、母線または他の発電機からの電力が供給されているところへ同期投入する場合を例に説明したが、さらに複数台の発電機を母線に投入するような場合も本発明の同期投入装置を使うことができる。この場合の一例を示したのが図３で、この図３の例の場合は各発電機Ｇ１、Ｇ２、Ｇ３、……にそれぞれ本発明の同期投入装置１１、１２、１３、……を設け、かつ、これら同期投入装置１１、１２、１３、……を統括制御する同期投入装置１０を設けると共に、全ての同期投入装置１０、１１、１２、１３、……にＲＳ−４８５などの通信手段を設けて通信ケーブル５４で結び、統括制御する同期投入装置１０により同期投入装置１１、１２、１３、……を統括制御できるようにしたものである。
【００２５】
この場合、各同期投入装置１１、１２、１３、……を統括制御する同期投入装置１０は、ＰＴ（変圧器）５１を介して母線５０の電圧、周波数のデータを得、ＰＴ（変圧器）５２を介して発電機側母線５３の電圧、周波数のデータを得る。そしてＲＳ−４８５などの通信手段を結ぶ通信ケーブル５４を介し、これらのデータを各同期投入装置１１、１２、１３、……に伝える。そして各同期投入装置１１、１２、１３、……は、この情報を基に、以上説明してきたようにして母線５０と各発電機Ｇ１、Ｇ２、Ｇ３、……における電圧、周波数、位相の差が許容範囲内に入るよう制御し、遮断器５５１、５５２、５５３、……を投入する。そのため、発電機側母線５３には、母線５０と電圧、周波数、位相の差が許容範囲内となった各発電機Ｇ１、Ｇ２、Ｇ３、……の電力が投入されるから、全ての遮断器５５１、５５２、５５３、……が投入された後、同期投入装置１０が遮断器５５０を投入して母線５０と発電機側の線５３を接続し、同期投入を完了する。
【００２６】
このようにすることにより、母線５０に複数の発電機を同期投入する場合でも、一台の発電機を同期投入する場合と全く同様に制御することが可能であり、非常に簡単に同期投入を行うことができる。
【００２７】
以上種々述べてきたように本発明によれば、母線と発電機の電圧差と周波数差を検出する検出手段と、この検出手段、及び操作パネル上の電圧と周波数の調整指示手段からの指示で前記電圧差と周波数差を許容値内とするための信号を発する調整手段を設けたことにより、電圧差と周波数差を許容値内とするための信号を発する調整手段は、自動同期投入する時でも手動による電圧差と周波数差の調整信号を変更できるから、短時間でこれら電圧差と周波数差を許容値内とすることができる。また、手動動同期投入時には、操作パネル上に設けられて常時は信号出力を不可とされ、手動同期投入選択時、前記操作パネル上の電圧と周波数の調整指示手段から指示した母線と発電機の電圧差と周波数差を変化させる信号により、前記検出手段が電圧差と周波数差が許容値内になったことを検出した信号と、前記位相同期点確認手段からの位相が所定範囲で一致した信号が来たとき、前記遮断器投入信号出力を可能とする遮断器手動投入指示手段を設けたことにより、手動による遮断器投入手段が、電圧差と周波数差が許容値内になり、位相が所定範囲で一致しないと遮断器投入信号を出力できないから、誤って手動同期投入するということが無く、そのため、発電機を損傷させるなどの事故を防ぐことができる。
【００２８】
そして手動同期投入選択時は、前記検出手段から調整手段への信号をロックすることで、例えば電圧差の調整を行わずに周波数差だけ許容範囲に入って位相が同期したときに投入するなどのことが可能となり、より素早く同期投入を行うことができる。
【００２９】
また、前記遮断器手動投入指示手段を前記操作パネル上で表示／非表示を切替え可能とし、前記検出手段が電圧差と周波数差が許容値内になったことを検出した信号と、前記位相同期点確認手段からの位相が所定範囲で一致した信号が来たとき、操作パネル上に表示すると共に前記遮断機投入信号出力を可能とすることにより、オペレータは手動同期投入においてもメータなどを見ながら判断する必要が全く無くなり、安全に手動同期投入を行えるようになる。
【００３０】
そして前記操作パネルを、各指示手段を表示する表示装置とタッチパネルで構成することにより、各種指示や操作用ボタンなどの手段を任意に表示／非表示することが可能となり、オペレータによりわかりやすい装置とすることができる。
【００３１】
さらに、前記同期投入装置に通信手段を設け、複数の発電機に対応させた設けた各同期投入装置を前記通信手段で接続し、複数の発電機を母線に同期投入させる際、前記通信手段を用いて投入制御することにより、多数の発電機を母線に同期投入させるような場合でも、互いの投入データをチェックしながら同期投入でき、より安全に同期投入を行うことができる。
【００３２】
【発明の効果】
以上記載の如く本発明によれば、電圧差と周波数差を許容値内とするための信号を発する調整手段は、自動同期投入する時でも手動による電圧差と周波数差の調整信号を変更できるから、短時間でこれら電圧差と周波数差を許容値内とすることができる。また手動動投入時には、手動による遮断器投入手段が、電圧差と周波数差が許容値内になり、位相が所定範囲で一致しないと遮断器投入信号を出力できないから、誤って手動同期投入するということが無く、そのため、発電機を損傷させるなどの事故を防ぐことができる。
【図面の簡単な説明】
【図１】本発明の発電機における同期投入装置の概略ブロック図である。
【図２】本発明の発電機における同期投入装置における自動同期投入のフロー図である。
【図３】本発明発電機における同期投入装置を複数用いて同期投入するときの概略ブロック図である。
【符号の説明】
１  同期投入装置
２  母線からの入力端子
３  発電機からの入力端子
４、５  アナログ／デジタル変換器
６  電圧比較回路
７  周波数比較回路
８  操作パネル
９  自動同期投入ボタン
１０  手動同期投入ボタン
１１  電圧上昇指示ボタン
１２  電圧降下指示ボタン
１３  周波数上昇指示ボタン
１４  周波数降下指示ボタン
１５  遮断器手動投入ボタン
１６、１７  インターロック回路
１８  電圧強制補正信号発生回路
１９  周波数強制補正信号発生回路
２０  電圧上昇信号
２１  電圧降下信号
２２  周波数上昇信号
２３  周波数降下信号
２４  位相／同期点確認回路
２５  誤動作防止ロック回路
２６  アンド回路
２７  見張りタイマーとカウンター
２８  遮断器投入信号
２９  電圧表示装置
３０  周波数表示装置
３１  アンド回路
３２  遮断器手動投入ボタン表示制御回路
３３  切換え回路
３４  ノット回路
【図１】
2005012938.tif 000003
【図２】
2005012938.tif 000004
【図３】
2005012938.tif 000005